(57)【特許請求の範囲】
【請求項１】
ヘアードライヤーの送風口に結合されて風を振動させる風振動装置であって、
前記送風口に結合され前記風が流入する管状のアダプタと、
前記アダプタの内部に回転可能に結合され、前記風が一端から流入し前記風によって回転する管状の回転部と、
一端が前記回転部の他端にヒンジ部によってヒンジ結合され、前記回転部の他端から吐出される風によって前記ヒンジ部を中心に振動する管状の吐出部とを含み、
前記吐出部は、前記一端から前記他端に行くほど断面が縮小する円錐台状の管状の吐出胴体を含み、
前記風振動装置は、
前記アダプタに結合され前記回転部の回転を断続するストッパーをさらに含み、
前記ストッパーは、前記アダプタに対してスライディングされるように前記アダプタに結合され、スライディングにより前記回転部の回転を断続する断続ボタンを含むことを特徴とする、
風振動装置。
【請求項２】
前記回転部は、
管状の回転胴体と、
前記風が流入することによって前記回転胴体が回転するように前記回転胴体の内壁から前記回転胴体の中心方向に延長形成される複数のベーン（ｖａｎｅ）を含むことを特徴とする、
請求項１に記載の風振動装置。
【請求項３】
前記アダプタは、
前記アダプタの内部に結合される固定ハブを含み、
前記回転部は、
前記回転胴体の中心に長さ方向に沿って配置され、前記複数のベーンが延びて結合される回転軸部をさらに含み、
前記回転軸部は前記固定ハブに回転可能に結合されることを特徴とする、
請求項２に記載の風振動装置。
【請求項４】
前記吐出部は、
前記吐出胴体の一端から延びて前記ヒンジ部によって前記回転部の他端にヒンジ結合され、前記吐出部の回転中心から一側に傾斜する切断部が形成される管状の連結部をさらに含むことを特徴とする、請求項１に記載の風振動装置。
【請求項５】
前記連結部の前記切断部以外の端部をカバーするように、前記切断部以外の端部に対向して前記回転部の外面にはフランジが形成されることを特徴とする、
請求項４に記載の風振動装置。
【請求項６】
前記風によって前記吐出部が前記ヒンジ部を中心に振動するように前記吐出部の一側には錘が結合されることを特徴とする、請求項１に記載の風振動装置。
【請求項７】
前記アダプタの一端部には前記アダプタの一部が溝加工されて固定片が形成され、
前記ストッパーは、内部に加圧凸部が形成され、前記アダプタの一端部が挿入されて前記アダプタに対して回転し、回転により前記加圧凸部が前記固定片を加圧するようにする回転リングを含むことを特徴とする、
請求項１に記載の風振動装置。
【請求項８】
前記回転リングの内部にはガイド凸部が形成され、
前記アダプタの一端部には前記ガイド凸部が挿入されて前記回転リングの回転範囲をガイドするガイド溝が形成されることを特徴とする、
請求項７に記載の風振動装置。
【請求項９】
一端が前記アダプタに着脱可能に結合され、他端に前記吐出部から吐出された前記風を外部に排出させる排出口が形成されるノズルをさらに含む、請求項１に記載の風振動装置。
【請求項１０】
風を吐出させる送風口を具備するヘアードライヤー本体と；
前記送風口に結合されて風を振動させる請求項１〜請求項９のいずれか一項に記載された風振動装置を含む、ヘアードライヤー。
【請求項１１】
前記アダプタは前記送風口と一体に形成されることを特徴とする、
請求項１０に記載のヘアードライヤー。
【発明の詳細な説明】
【技術分野】
【０００１】
本発明は風振動装置およびこれを含むヘアードライヤーに関するものである。より詳細には、ヘアードライヤーの送風方向を持続的に変化させて頭髪の乾燥時間を短縮させることができるだけでなく、使用者が疲労感を感じることなく便利にヘアードライヤーを使用できるようにする、風振動装置およびこれを含むヘアードライヤーに関するものである。
【背景技術】
【０００２】
一般に、ヘアードライヤーは冷風または温風を必要な方向に送風して使用者が頭髪を乾燥させ、スタイリングするために使用される。基本的にヘアードライヤーは本体に電源を印可してスイッチを作動させると、本体が大気から空気を吸い込み、吸い込まれた空気がヒーティング装置および送風装置を通過することにより、本体の外部に風が送風されて使用者の頭髪を乾燥させる。
【０００３】
ヘアードライヤーを使用して頭髪を乾燥させる過程において、使用者がヘアードライヤーを揺らしてヘアードライヤーの風の送風方向を変化させながら頭髪を乾燥することになるが、使用者がヘアードライヤーを持続的に動かさなければならないため、手首や腕に力が入り、使用者がすぐ疲れてしまう問題があった。
【発明の概要】
【発明が解決しようとする課題】
【０００４】
本発明は、ヘアードライヤーの送風方向を持続的に変化させて頭髪の乾燥時間を短縮させることができるだけでなく、使用者が疲労感を感じることなく便利にヘアードライヤーを使用できるようにする、風振動装置およびこれを含むヘアードライヤーに関するものである。
【課題を解決するための手段】
【０００５】
本発明の一側面によると、ヘアードライヤーの送風口に結合されて風を振動させる風振動装置であって、前記送風口に結合され前記風が流入する管状のアダプタと；前記アダプタの内部に回転可能に結合され、前記風が一端から流入し前記風によって回転する管状の回転部と；一端が前記回転部の他端にヒンジ部によってヒンジ結合され、前記回転部の他端から吐出される風によって前記ヒンジ部を中心に振動する管状の吐出部；を含む、風振動装置が提供される。
【０００６】
前記回転部は、管状の回転胴体と；前記風が流入することによって前記回転胴体が回転するように前記回転胴体の内壁から前記回転胴体の中心方向に延長形成される複数のベーン（ｖａｎｅ）を含むことができる。
【０００７】
前記アダプタは、前記アダプタの内部に結合される固定ハブを含み、前記回転部は、前記回転胴体の中心に長さ方向に沿って配置され、前記複数のベーンが延びて結合される回転軸部をさらに含み、前記回転軸部は前記固定ハブに回転可能に結合され得る。
【０００８】
前記吐出部は、一端から他端に行くほど断面が縮小する円錐台状の管状の吐出胴体を含むことができる。
【０００９】
前記吐出部は、前記吐出胴体の一端から延びて前記ヒンジ部によって前記回転部の他端にヒンジ結合され、前記吐出部の回転中心から一側に傾斜する切断部が形成される管状の連結部をさらに含むことができる。
【００１０】
前記連結部の前記切断部以外の端部をカバーするように、前記切断部以外の端部に対向して前記回転部の外面にはフランジが形成され得る。
【００１１】
前記風によって前記吐出部が前記ヒンジ部を中心に振動するように前記吐出部の一側には錘が結合され得る。
【００１２】
前記アダプタに結合され前記回転部の回転を断続するストッパーをさらに含むことができる。
【００１３】
前記アダプタの一端部には前記アダプタの一部が溝加工されて固定片が形成され、前記ストッパーは、内部に加圧凸部が形成され、前記アダプタの一端部が挿入されて前記アダプタに対して回転し、回転により前記加圧凸部が前記固定片を加圧するようにする回転リングを含むことができる。
【００１４】
前記回転リングの内部にはガイド凸部が形成され、前記アダプタの一端部には前記ガイド凸部が挿入されて前記回転リングの回転範囲をガイドするガイド溝が形成され得る。
【００１５】
前記ストッパーは、前記アダプタに対してスライディングされるように前記アダプタに結合され、スライディングにより前記回転部の回転を断続する断続ボタンを含むことができる。
【００１６】
一端が前記アダプタに着脱可能に結合され、他端に前記吐出部から吐出された前記風を外部に排出させる排出口が形成されるノズルをさらに含むことができる。
【００１７】
本発明の一側面によると、風を吐出させる送風口を具備するヘアードライヤー本体と；前記送風口に結合されて風を振動させる風振動装置を含む、ヘアードライヤーが提供される。
【００１８】
前記アダプタは前記送風口と一体に形成され得る。
【発明の効果】
【００１９】
本発明の実施例によると、ヘアードライヤーの送風方向を持続的に変化させて頭髪の乾燥時間を短縮させることができるだけでなく、使用者が疲労感を感じることなく便利にヘアードライヤーを使用することができる。
【図面の簡単な説明】
【００２０】
【図１】本発明の一実施例に係る風振動装置の斜視図。
【図２】本発明の一実施例に係る風振動装置の切断図。
【図３】本発明の一実施例に係る風振動装置の分解斜視図。
【図４】本発明の一実施例に係る風振動装置のアダプタの斜視図。
【図５】本発明の一実施例に係る風振動装置の回転部の斜視図。
【図６】本発明の一実施例に係る風振動装置の吐出部の斜視図。
【図７】本発明の一実施例に係る風振動装置のストッパーの斜視図。
【図８】本発明の一実施例に係る風振動装置の使用状態図。
【図９】本発明の一実施例に係る風振動装置の使用状態図。
【図１０】本発明の一実施例に係る風振動装置を含むヘアードライヤーの斜視図。
【発明を実施するための形態】
【００２１】
本発明は多様な変換を加えることができ、多様な実施例を有することができるところ、特定の実施例を図面に例示して詳細な説明に詳細に説明する。しかし、これは本発明を特定の実施形態について限定しようとするものではなく、本発明の思想および技術範囲に含まれるすべての変換、均等物乃至代替物を含むものと理解されるべきである。本発明の説明において、関連した公知技術に対する具体的な説明が本発明の要旨を不要に曖昧にさせる恐れがあると判断される場合、その詳細な説明を省略する。
【００２２】
以下、本発明に係る風振動装置およびこれを含むヘアードライヤーを添付した図面を参照して詳細に説明することにし、添付した図面を参照して説明するにおいて、同じであるか対応する構成要素は同じ図面番号を付し、これに対する重複する説明は省略する。
【００２３】
図１は本発明の一実施例に係る風振動装置の斜視図であり、図２は切断図、図３は本発明の一実施例に係る風振動装置の分解斜視図である。そして、図４は本発明の一実施例に係る風振動装置のアダプタの斜視図であり、図５は本発明の一実施例に係る風振動装置の回転部の斜視図、図６は本発明の一実施例に係る風振動装置の吐出部の斜視図、図７は本発明の一実施例に係る風振動装置のストッパーの斜視図である。そして、図８および図９は本発明の一実施例に係る風振動装置の使用状態図である。
【００２４】
図１〜図９には、風振動装置１、ヘアードライヤー本体５、吐出部１０、吐出胴体１３、連結部１５、錘１６、切断部１７、ヒンジピン１９、回転部２０、回転胴体２１、ベーン２３、回転軸部２５、フランジ２６、結合ピン２７、ヒンジ部２９、アダプタ３０、アダプタ本体３１、固定ハブ３２、固定片３３、ガイド溝３５、ストッパー４０、回転リング４１、加圧凸部４３、ガイド凸部４５、ノズル５０が図示されている。
【００２５】
本実施例に係る風振動装置１は、ヘアードライヤーの送風口５１に結合されて風を振動させる風振動装置１であって、送風口５１に結合され風が流入する管状のアダプタ３０と；アダプタ３０の内部に回転可能に結合され、風が一端から流入し風によって回転する管状の回転部２０と；一端が回転部２０の他端にヒンジ部２９によりヒンジ結合され、回転部２０の他端から吐出される風によってヒンジ部２９を中心に振動する管状の吐出部１０を含むことによって、ヘアードライヤーの送風方向を持続的に変化させながらヘアードライヤーから吐出する風を周期的に振動させることができる。
【００２６】
アダプタ３０は管状に形成され、ヘアードライヤーの送風口（５１、図１０参照）に結合される。送風口５１はヘアードライヤー本体（５、図１０参照）に形成されてヘアードライヤー本体５から流入する風を後述する風振動装置１に排出する。
【００２７】
ヘアードライヤー本体５には外部空気を吸い込む空気吸込口、吸い込まれた空気を送風口５１に送風させるモーターおよびファンなどが設置される送風装置、吸い込まれた空気を加熱するヒーティング装置、電源と温度などを調整するスイッチが設けられ得、使用者はヘアードライヤー本体５に形成される取っ手を把持してヘアードライヤーを使用することができる。
【００２８】
図４を参照すると、アダプタ３０は断面が環状の管状に形成され得、一端が送風口５１に結合され、内部の中空を通じてヘアードライヤー本体５から流入する風が他端に排出される。
【００２９】
アダプタ３０は送風口５１に締り嵌め方式やねじ結合などの多様な方式によって結合され得る。
【００３０】
回転部２０はアダプタ３０の内部に回転可能に結合され、風が一端から流入し風によって回転する。回転部２０は断面が環状の管状に形成され得、アダプタ３０の内部に回転可能に結合される。アダプタ３０に流入する風によりアダプタ３０の内部に位置する回転部２０が回転し、回転部２０を回転させながら通過した風は回転部２０の他端にヒンジ結合されている吐出部１０をヒンジ部２９を中心に回転させる。
【００３１】
図５を参照すると、回転部２０は管状の回転胴体２１と、回転胴体２１の内壁で回転胴体２１の中心方向に延長形成される複数のベーン２３を含むことができる。回転胴体２１は管状に形成されて内部を貫通する中空が形成され、回転胴体２１の内壁から回転胴体２１の中心方向に螺旋形のベーン２３が延長形成される。ベーン２３は一定の角度に傾斜して形成されており、回転胴体２１の内部に流入する風がベーン２３に当たって回転胴体２１が回転する。ベーン２３は抵抗力を高めるために回転胴体２１の長さ方向に亘って備えられ得る。
【００３２】
一方、回転部２０は回転胴体２１の中心に長さ方向に沿って配置される回転軸部２５をさらに含むことができる。回転軸部２５は回転胴体２１の中心に配置され、回転胴体２１の中心方向に延びるベーン２３が回転軸部２５に結合される。
【００３３】
アダプタ３０の内部には回転軸部２５を支持するための固定ハブ３２が結合され得るが、回転軸部２５がアダプタ３０の固定ハブ３２に回転可能に結合されているため、風が回転部２０に流入するにつれて回転部２０がアダプタ３０の内部で回転することになる。
【００３４】
固定ハブ３２に対する回転部２０の結合のために回転軸部２５には長さ方向に沿って貫通ホールが形成されており、結合ピン２７の端部が回転軸部２５の貫通ホールを通過して固定ハブ３２に結合しながら回転部２０が固定ハブ３２に回転可能に支持される。
【００３５】
吐出部１０は回転部２０の他端にヒンジ部２９によりヒンジ結合され、回転部２０の他端から吐出される風によってヒンジ部２９を中心にテチルティングされながら振動する。
【００３６】
図３を参照すると、吐出部１０は管状に形成され、一端がヒンジ部２９により回転部２０の他端にヒンジ結合される。具体的には、管状の吐出部１０の両側には孔が形成され、ヒンジピン１９が孔に挿入されながら回転部２０に結合されてヒンジ部２９を中心にチルティングされる。吐出部１０は回転部２０にヒンジ結合されているため、回転部２０の回転により回転部２０とともに回転される。
【００３７】
回転部２０の内部に流入する風は、内部のベーン２３に圧力を加えて回転部２０を回転させながら管状の回転部２０を通過し、回転部２０を通過した風は吐出部１０の内壁に圧力を加えてヒンジ部２９を中心に周期的にチルティングさせて回転部２０に対して吐出部１０を振動させる。このように回転部２０と吐出部１０を通過した風は回転部２０の回転と吐出部１０のチルティングによって、風の方向が周期的に変化しながら振動する（図８および図９参照）．
【００３８】
図６を参照すると、本実施例に係る吐出部１０は、一端から他端に行くほど断面が縮小する円錐台状の管状の吐出胴体１３と、吐出胴体１３の一端から延びて回転部２０の他端にヒンジ結合され、吐出部１０の回転中心から一側に傾斜する切断部１７が形成される管状の連結部１５を含むことができる。
【００３９】
吐出胴体１３は一端から他端に行くほど断面が縮小するように傾斜して形成され、吐出胴体１３の内部に流入する風が吐出胴体１３の内壁傾斜面に当たって吐出部１０が迅速に周期的にチルティングされて振動することになる。
【００４０】
連結部１５は吐出胴体１３の一端から延びて管状に形成され、連結部１５の他側はヒンジ部２９により回転部２０の他端にヒンジ結合される。連結部１５には吐出部１０の回転中心から一側に傾斜する切断部１７が形成され得るが、切断部１７により連結部１５の一部の高さが低くなって吐出部１０のチルティング範囲が増加して吐出部１０を通じて吐出する風の振動の幅が広くなる。
【００４１】
一方、回転部２０の外面には、連結部１５の切断部１７以外の端部をカバーするように、切断部１７以外の端部に対向してフランジ２６が形成され得る。図３を参照すると、回転部２０の外面には連結部１５の切断部１７以外の端部をカバーするようにフランジ２６が形成され、回転部２０の外面に沿ってアダプタ３０の他端に排出される風が連結部１５の切断部１７以外の端部に直接的に当たることを防止する。
【００４２】
使用者の選択によって、ヘアードライヤーから吐出する風が振動しないように回転部２０の回転を停止させてヘアードライヤーを使用することができるが、この場合、吐出部１０は回転部２０を通過する風により直立される。ところが、連結部１５の切断部１７以外の端部は回転部２０の外面に沿ってアダプタ３０の他端に排出される風が直接当たる反面、連結部１５の切断部１７はアダプタ３０の他端からある程度離隔しているため、回転部２０の外面に沿ってアダプタ３０の他端に排出される風が直接当たらなくなり、吐出部１０が切断部１７側にチルティングされる場合が発生し得る。したがって、回転部２０の外面に沿って移動する風が連結部１５の切断部１７以外の端部に直接当たることを防止するために、連結部１５の切断部１７以外の端部に対向する位置にフランジ２６を設ける。フランジ２６により連結部１５の切断部１７以外の端部に風が直接当たることが防止されて吐出部１０が切断部１７側にチルティングされずに直立することができる。
【００４３】
一方、円錐台状の管状の吐出胴体１３の一側には錘１６が結合され得る。錘１６は吐出部１０の内壁の一側に結合され、これに伴い、吐出部１０の回転中心に対して吐出部１０の重さが非対称となるようにして吐出部１０が振動する振動周期をさらに早くすることができる。
【００４４】
錘１６は切断部１７が形成される吐出部１０の一側の内壁に一体に結合され得る。切断部１７が形成される吐出部１０の一側に錘１６が結合されると、吐出部１０の振動が早くなって風の振動周期が早くなるだけでなく、吐出部１０の回転範囲が増加して風の振動幅も増加してヘアードライヤーを使用して頭髪を乾燥させる時間を短縮することができる。
【００４５】
本実施例に係る風振動装置１は、アダプタ３０に結合されて回転部２０の回転を断続するストッパー４０をさらに含むことができる。
【００４６】
使用者の選択によってヘアードライヤーから吐出する風が振動しないようにしてヘアードライヤーを使用することができるが、ストッパー４０を使用して回転部２０の回転を停止させて風が振動することなく一定に吐出されるようにするのである。
【００４７】
本実施例に係るストッパー４０は、内部に加圧凸部４３が形成され、アダプタ３０の一端部が挿入されてアダプタ３０に対して回転する回転リング４１を含むことができる。回転リング４１に挿入されるアダプタ３０の一端部にはアダプタ３０の一部が溝加工されて形成される固定片３３が形成されている。アダプタ３０に対する回転リング４１の回転により回転リング４１の内部に形成された加圧凸部４３はアダプタ３０の固定片３３を加圧するようになり、固定片３３はさらに回転部２０の外面を加圧して回転部２０の回転を停止させる。
【００４８】
図４を参照すると、アダプタ３０の一端部にはアダプタ３０の一部が溝加工されて形成される固定片３３が形成される。固定片３３は一定の広さを有するように略四角形の形状に形成され得、一側がアダプタ３０に連結され残りの部分はアダプタ３０と分離されるように「⊂」の形状に溝加工されて形成され得る。固定片３３は回転リング４１の回転により加圧凸部４３により加圧されて、アダプタ３０の内側に曲がってアダプタ３０の内部に位置する回転部２０を加圧して回転部２０を固定させる。
【００４９】
図７を参照すると、回転リング４１は、円形のリン状であって、内部に加圧凸部４３が形成されており、アダプタ３０の一端部が挿入されてアダプタ３０に対して回転する。そして、回転リング４１の内部にはガイド凸部４５が形成され得、これに相応してアダプタ３０の一端部にはガイド凸部４５が挿入されて回転リング４１の回転範囲をガイドするガイド溝３５が形成され得る。
【００５０】
アダプタ３０の一端部には、ガイド凸部４５が挿入されるようにアダプタ３０の周りに沿って一定の長さでガイド溝３５が形成され、ガイド溝３５の長さによってガイド溝３５に挿入されるガイド凸部４５の移動範囲が制限されて回転リング４１の回転範囲を制限するようになる。ガイド溝３５の長さはアダプタ３０に形成される固定片３３の長さと同様に形成され得、このような場合、使用者が回転部２０を固定させるために回転リング４１を回転させる過程で、加圧凸部４３が固定片３３を通り過ぎずに正確な位置で固定片３３を加圧するようにすることができる。
【００５１】
一方、ストッパー４０の変形例として、アダプタ３０に対してスライディングされるようにアダプタ３０に結合され、スライディングにより回転部２０の回転を断続する断続ボタンを含むことができる。断続ボタンは一端がアダプタ３０を貫通するようにアダプタ３０外壁に備えられて、スライディングされることにより回転部２０を加圧して回転部２０の回転を断続するように構成され得る。
【００５２】
ノズル５０は、その一端がアダプタ３０に着脱可能に結合され、他端に吐出部１０から吐出された風を外部に排出させる排出口が形成される。ノズル５０の排出口は、一方向に長いスロット形態で構成され得、吐出部１０から吐出された風がスロット形態の排出口を通じて吐出される。
【００５３】
図１０は、本発明の一実施例に係る風振動装置を含むヘアードライヤーの斜視図である。図１０には風振動装置１、ヘアードライヤー本体５、送風口５１が図示されている。
【００５４】
本実施例に係るヘアードライヤーの送風口５１には前述した風振動装置１０が結合されている。
【００５５】
ヘアードライヤー本体５には外部空気を吸い込む空気吸込口、吸い込まれた空気を送風口５１に送風させるモーターおよびファンなどが設置される送風装置、吸い込まれた空気を加熱するヒーティング装置、電源と温度などを調整するスイッチが設けられ得、ヘアードライヤーの送風口５１を通じて風が吐出される。ヘアードライヤーの送風口５１には必要に応じて前述した風振動装置１が結合され得る。
【００５６】
本実施例では、ヘアードライヤーとは別個に前述した風振動装置１を構成してヘアードライヤーに着脱させて使用する形態を提示しているが、ヘアードライヤーと風振動装置１を一体に構成することも可能である。すなわち、アダプタ３０を送風口５１の一部として送風口５１と一体に構成して送風口５１の内部に前述した回転部２０、吐出部１０、ノズル５０等を結合して、風振動装置１をヘアードライヤーと一体に構成するのである。
【００５７】
以上では本発明の実施例を参照して説明したが、該当技術分野で通常の知識を有する者であれば、下記の特許請求の範囲に記載された本発明の思想および領域から逸脱しない範囲内で本発明を多様に修正および変更できることが容易に理解できるはずである。
【図１】
0006679625.tif 000002
【図２】
0006679625.tif 000003
【図３】
0006679625.tif 000004
【図４】
0006679625.tif 000005
【図５】
0006679625.tif 000006
【図６】
0006679625.tif 000007
【図７】
0006679625.tif 000008
【図８】
0006679625.tif 000009
【図９】
0006679625.tif 000010
【図１０】
0006679625.tif 000011